(57)【特許請求の範囲】
【請求項１】
光源を有する照射部と、
人体の接触及び／又は接近を検出する前記光源点灯用のタッチセンサと、
可動操作部材を有する前記光源消灯用のスイッチと、
前記光源、前記タッチセンサ及び前記スイッチに電気的に接続され、且つ、前記タッチセンサの検出結果に基づいて前記光源を消灯制御せず且つ前記光源を点灯制御すると共に、前記スイッチの前記可動操作部材の操作状態に基づいて前記光源を点灯制御せず且つ前記光源を消灯制御する光源制御部と、を備えることを特徴とする室内照明灯。
【請求項２】
前記スイッチは、前記可動操作部材の位置の変化に応じて接続状態が切り替わる接点部を有し、前記光源制御部は、前記接点部の接続状態が切り替えられたときに前記光源を消灯制御する請求項１記載の室内照明灯。
【請求項３】
前記タッチセンサの検知部は前記可動操作部材に設けられている請求項１又は２記載の室内照明灯。
【請求項４】
前記タッチセンサは静電容量型センサであり、前記検知部としての電極部は、樹脂製の前記可動操作部材の表面側に設けられる金属メッキ層からなる請求項３記載の室内照明灯。
【請求項５】
前記可動操作部材は、前記照射部を囲うように設けられたリング形状を有し、且つ、該照射部の外周に沿って回転自在に支持されている請求項３又は４記載の室内照明灯。
【請求項６】
前記可動操作部材の表面色は前記照射部の表面色と異なっている請求項５記載の室内照明灯。
【請求項７】
前記可動操作部材の表面側には複数の凹部及び／又は凸部が形成されている請求項５又は６記載の室内照明灯。
【発明の詳細な説明】
【技術分野】
【０００１】
本発明は、室内照明灯に関し、さらに詳しくは、光源点灯の際の操作性及び応答性に優れると共に、光源の誤消灯を防止することができる室内照明灯に関する。
【背景技術】
【０００２】
従来より、車両等の天井に装備される室内照明灯として、例えば、プッシュボタン、スライドレバー等の可動操作部材を有する機械式スイッチを備え、この可動操作部材を直接操作して光源の点灯・消灯を切り替えるものが一般に知られている。しかし、この従来の室内照明灯では、夜間の暗がりや運転中等の場合には機械式スイッチの可動操作部材の位置が分かり難く手探りで探す手間がある。また、機械式スイッチの可動操作部材を押す等の操作が必要であるため、必要なときに直ぐに光源を点灯させ難いといった問題がある。
【０００３】
そこで、上記問題を解決する従来の室内照明灯として、人体の接触及び／又は接近を検知するタッチセンサを備えるものが提案されている（例えば、特許文献１及び２参照）。
上記特許文献１には、機械式スイッチであるメインスイッチと、このメインスイッチの周囲に配設される感圧スイッチ（タッチセンサ）とを備え、メインスイッチから離れた場所の感圧スイッチを押圧しても光源を点灯させ得るようにした室内照明灯が開示されている（特許文献１の〔００１８〕〜〔００２４〕及び図２等参照）。なお、上記特許文献１には、メインスイッチ及び感圧スイッチのうちの一方又は両方を有効にする選択スイッチを更に備え、使用者の好み等に応じて各スイッチを使い分けることが開示されている（特許文献１の〔００３６〕〜〔００３８〕及び図１１等参照）。
また、上記特許文献２には、静電容量型スイッチ（タッチセンサ）を備える室内照明灯が開示されている。
【０００４】
【特許文献１】特開２００５−２９１６４号公報
【特許文献２】特開２００７−２３０４５０号公報
【発明の開示】
【発明が解決しようとする課題】
【０００５】
しかし、上記特許文献１及び２では、タッチセンサの検知結果に基づいて光源を点灯制御及び消灯制御するように構成されているため、光源が一旦点灯された後、使用者が誤ってタッチセンサを作動させて光源を消灯させてしまう恐れがある。
【０００６】
本発明は、上記現状に鑑みてなされたものであり、光源点灯の際の操作性及び応答性に優れると共に、光源の誤消灯を防止することができる室内照明灯を提供することを目的とする。
【課題を解決するための手段】
【０００７】
本発明は、以下の通りである。
１．光源を有する照射部と、
人体の接触及び／又は接近を検出する前記光源点灯用のタッチセンサと、
可動操作部材を有する前記光源消灯用のスイッチと、
前記光源、前記タッチセンサ及び前記スイッチに電気的に接続され、且つ、前記タッチセンサの検出結果に基づいて前記光源を消灯制御せず且つ前記光源を点灯制御すると共に、前記スイッチの前記可動操作部材の操作状態に基づいて前記光源を点灯制御せず且つ前記光源を消灯制御する光源制御部と、を備えることを特徴とする室内照明灯。
２．前記スイッチは、前記可動操作部材の位置の変化に応じて接続状態が切り替わる接点部を有し、前記光源制御部は、前記接点部の接続状態が切り替えられたときに前記光源を消灯制御する上記１．記載の室内照明灯。
３．前記タッチセンサの検知部は前記可動操作部材に設けられている上記１．又は２．記載の室内照明灯。
４．前記タッチセンサは静電容量型センサであり、前記検知部としての電極部は、樹脂製の前記可動操作部材の表面側に設けられる金属メッキ層からなる上記３．記載の室内照明灯。
５．前記可動操作部材は、前記照射部を囲うように設けられたリング形状を有し、且つ、該照射部の外周に沿って回転自在に支持されている上記３．又は４．記載の室内照明灯。
６．前記可動操作部材の表面色は前記照射部の表面色と異なっている上記５．記載の室内照明灯。
７．前記可動操作部材の表面側には複数の凹部及び／又は凸部が形成されている上記５．又は６．記載の室内照明灯。
【発明の効果】
【０００８】
本発明の室内照明灯によると、光源制御部によって、タッチセンサの検出結果に基づいて光源が点灯制御され、スイッチの可動操作部材の操作状態に基づいて光源が消灯制御される。これにより、夜間の暗がりや運転中等の場合でもタッチセンサにより光源を容易且つ確実に点灯させることができ、光源点灯の際の操作性を高めることができる。また、光源点灯の際に機械式スイッチのように可動操作部材を押す等の操作が必要でないため、必要なときに直ぐに光源を点灯させることができ、光源点灯の際の応答性を高めることができる。さらに、タッチセンサではなく機械式スイッチの操作により光源を消灯させるようにしたので、使用者が誤ってタッチスイッチに接触及び／又は近接しても点灯状態の光源が消灯されず、光源の誤消灯を防止することができる。
また、前記タッチセンサの検知部が前記可動操作部材に設けられている場合は、同じ部位である検知部及び可動操作部材により光源を点灯及び消灯できるため、使用者がそれらの位置を把握し易く、操作性をより高めることができる。また、タッチセンサ及びスイッチの構成部材を別々に設けるものに比べて、タッチセンサ及びスイッチのための設置場所を省スペース化でき、室内照明灯の小型化を図ることができる。
また、前記タッチセンサが静電容量型センサであり、前記検知部としての電極部が、樹脂製の前記可動操作部材の表面側に設けられる金属メッキ層からなる場合は、静電容量型センサの採用により、非接触センサを簡易且つ安価に構成できる。また、樹脂製の可動操作部材の採用により、タッチセンサの電極部として機能する金属製の可動操作部材を採用するものに比べて、軽量化を図ることができる。さらに、金属メッキ層の金属色により可動操作部材の位置をより容易に把握でき、また美観を高め意匠性を向上させることができる。
また、前記可動操作部材が、前記照射部を囲うように設けられたリング形状を有し、且つ、該照射部の外周に沿って回転自在に支持されている場合は、可動操作部材としてプッシュボタン、スライドレバー等を有する機械式スイッチに比べて、光源点灯の際に使用者が誤って可動操作部材を回動作動させてしまうことを抑制できる。また、手探りで照射部を見つけた後に、その周囲に位置する可動操作部材を容易に見つけて、そのまま回転操作できるため、操作性を高めることができる。さらに、照射部及び可動操作部材の意匠を円形として、見る向きが変わっても美観が変化することがない形状にすることができ、デザインの自由度が高まって意匠性を高めることができる。
また、前記可動操作部材の表面色が前記照射部の表面色と異なっている場合は、表面色の違いにより照射部と可動操作部材とを容易に識別でき、可動操作部材の位置をより容易に把握することができる。
さらに、前記可動操作部材の表面側に複数の凹部及び／又は凸部が形成されている場合は、複数の凹部及び／又は凸部により使用者が可動操作部材をより確実に掴んで回転させることができる。また、表面形状の違いにより照射部と可動操作部材とを容易に識別でき可動操作部材の位置をより容易に把握することができる。特に、手さぐりでも可動操作部材を容易に探し当てることができる。
【発明を実施するための最良の形態】
【０００９】
１．室内照明灯
本実施形態１．に係る室内照明灯は、以下に述べる照射部、タッチセンサ、スイッチ及び光源制御部を備える。この室内照明灯は、例えば、照射部及びスイッチの可動操作部材を支持するハウジングを更に備えることができる。
なお、上記室内照明灯の用途としては、例えば、車両、船舶、飛行機等の乗り物の室内照明、家具の埋め込み照明等を挙げることができる。また、上記室内照明灯の種類としては、例えば、マップランプ、バニティランプ、トランクランプ、スポットランプ、ルームランプ等を挙げることができる。
【００１０】
上記「照射部」は、光源を有する限り、その構成、形状、個数等は特に問わない。この照射部の室内側への露出部分の形状は任意に選択することができるが、その露出部分の形状が円形（特に真円形）であることが好ましい。美観に優れるためである。また、この照射部は、例えば、ハウジングに対して１又は２つの回転軸で回転自在に支持されていることができる。これにより、光源の照射方向を任意の方向に広角で変更することができる。さらに、照射部が光源を備えるため、照射部の照射方向を変えても光軸等の光学系の変化が生じず、一様な照射能力を得ることができる。特に、ＬＥＤ等の指向性が高い光源を用いても、問題がなく好ましい。
上記光源は、電気的に発光するものである限り、その種類、形状、個数等は特に問わない。この光源は、例えば、ＬＥＤであることができる。これにより、光源としてバルブを使用するものに比べて、スポット性を高め且つ小型化を図ることができる。
【００１１】
上記「タッチセンサ」は、人体の接触及び／又は接近を検出する限り、その構成、種類、個数等は特に問わない。このタッチセンサは、通常、光源点灯用のセンサである。このタッチセンサの種類としては、例えば、静電容量型、圧電素子型、光電型、超音波型等を挙げることができる。これらのうち、非接触センサを簡易且つ安価に構成できるといった観点から、静電容量型であることが好ましい。この静電容量型のタッチセンサは、例えば、タッチセンサの検知部としての電極部と、この電極部及び人体の間の静電容量の変化を検出する静電容量回路とを有することができる。
【００１２】
上記「スイッチ」は、可動操作部材を有する限り、その構成、形状、個数等は特に問わない。このスイッチは、通常、光源消灯用のスイッチである。また、このスイッチは、例えば、可動操作部材の位置の変化に応じて接続状態が切り替わる接点部を有することができる。この接点部は、例えば、可動操作部材に設けられる接点（例えば、スイッチプレート等）と、この接点が接触する電子基板上の接点パターンとを有することができる。
上記可動操作部材としては、例えば、回転操作部材、プッシュボタン、スライドレバー等を挙げることができる。これらのうち、誤作動を抑制できるといった観点から、回転操作部材であることが好ましい。この回転操作部材は、例えば、予め設定される複数の回転位置の間で回転自在且つ位置決め可能に設けられていることができる。なお、この回転操作部材の回転方向、回転角度範囲の制限の有無等は特に問わない。
【００１３】
上記「光源制御部」は、上記光源、タッチセンサ及びスイッチに電気的に接続され、且つ、タッチセンサの検出結果に基づいて光源を消灯制御せず且つ点灯制御すると共に、スイッチの可動操作部材の操作状態に基づいて光源を点灯制御せず且つ消灯制御する限り、その構成、光源制御形態、タイミング等は特に問わない。
上記光源制御部は、例えば、上述の静電容量型タッチセンサを構成する静電容量回路から電極部と人体との間の静電容量の変化の検出信号が入力されたときに光源を点灯制御すると共に、上記スイッチを構成する接点部の接続状態が切り替えられたときに光源を消灯制御するように構成されていることができる。この消灯制御の形態としては、例えば、（１）回転操作部材の回転位置が変化する毎に光源を消灯する形態、（２）回転操作部材が複数の回転位置のうちの予め設定された所定の消灯用回転位置に位置されたときに光源を消灯する形態等を挙げることができる。
【００１４】
ここで、上記タッチセンサの検知部は、例えば、上記可動操作部材に設けられていることができる。このとき、上記照射部がハウジングに対して１又は２つの回転軸で回転自在に支持されている場合には、点灯状態の照射部の向きを変える際に使用者が可動操作部材、即ちタッチセンサの検知部に触れてしまうこともあるが、スイッチの可動操作部材を操作しない限り点灯状態が変化しないため、照射部の誤消灯を防止することができる。
【００１５】
上述のように検知部が可動操作部材に設けられている場合、静電容量型タッチセンサとしては、例えば、（１）上記検知部としての電極部が樹脂製の可動操作部材の表面側の全領域又は一部領域に設けられた金属メッキ層からなる形態、（２）上記検知部としての電極部が金属製の可動操作部材からなる形態等を挙げることができる。上記（１）形態では、可動操作部材の室内側への露出表面側及び非露出表面側の全領域に金属メッキ層が設けられていることが好ましい。この露出表面側の金属メッキ層によりタッチセンサの検知領域を広範囲に設定できると共に、非露出表面側の金属メッキ層と上記静電容量回路とを容易に配線接続できるためである。また、上記金属メッキ層としては、例えば、クロムメッキ、金メッキ等を挙げることができる。
【００１６】
上述のように検知部が可動操作部材に設けられている場合、スイッチの可動操作部材は、例えば、照射部を囲うように設けられたリング形状を有し、且つ照射部の外周に沿って回転自在に支持されていることができる。
この場合、上記可動操作部材の表面色は、例えば、照射部（例えば、レンズホルダ等）の表面色と異なっていることができる。この可動操作部材の表面色は、例えば、上記金属メッキ層による金属色であることができる。この金属色としては、例えば、クロムメッキの青味を帯びた銀白色、金メッキの黄金色等を挙げることができる。また、この照射部の表面色は、例えば、各種の樹脂色であることができる。
この場合、上記可動操作部材の表面側には、例えば、複数の凹部及び／又は複数の凸部が形成されていることができる。これら複数の凹部及び／又は凸部としては、例えば、ディンプル部、リブ部、ダイヤカット部等を挙げることができる。この場合、照射部（例えば、レンズホルダ等）の表面側に可動操作部材の上記凹部及び／又は凸部と同じ形状の凹部及び／又は凸部を設けるようにしてもよいが、照射部との識別性といった観点から、照射部の表面側に可動操作部材と異なる形状の凹部及び／又は凸部を設けたり、照射部の表面側に凹部及び／又は凸部を設けなかったりすることが好ましい。
この場合、例えば、上記照射部、可動操作部材及びハウジングのそれぞれの室内側への露出部分の形状が円形（好ましくは、真円形）であることができる。これにより、照射部、可動操作部材及びハウジングが同じ円形となる意匠を得ることができ、従来の長方形状の室内照明具と異なった意匠となり、意匠性を向上させることができる。この場合、上記照射部、可動操作部材及びハウジングが同心円状に配設されることが好ましい。各要素の統一感が得られ、従来の長方形状室内照明具と異なった意匠となり、意匠性を向上できるためである。
【００１７】
２．室内照明灯
他の実施形態２．に係る室内照明灯としては、例えば、上述の実施形態１．に係る室内照明灯において、上記照射部を構成する筒状の支持部（例えば、レンズホルダ等）の内側に位置し且つこの支持部を第１回転軸回りに回転自在に支持する支持リングと、この支持リングの内側に位置し且つこの支持リングを第１回転軸と交差（好ましくは、直交）する第２回転軸回りに回転自在に支持する支持柱を有する上記ハウジングと、を備えることを特徴とするものを挙げることができる。これにより、支持リングが外部に露出することなく、照射部の可動角度範囲をより広角にすることができる。
【００１８】
上記実施形態２．の室内照明灯では、例えば、上記支持柱の上記支持リングを支持する軸配設面は、支持リングの支持先端側から基端側に向かって支持リングの軸心寄りに傾斜していることができる。これにより、支持部及び支持リングが回転して支持柱に接触するときの角度を、軸配設面が垂直面である場合より大きくでき、照射部の可動角度範囲をより広角にすることができる。
【００１９】
上記実施形態２．の室内照明灯では、例えば、上記支持柱の上記支持リングを支持する軸配設面の反対側の面である軸配設裏面に、支持柱の立設方向に延びるリブが設けられていることができる。これにより、支持部及び支持リングの回転する角度を狭くなることなく、支持柱の強度を高めることができる。
【００２０】
上記実施形態２．の室内照明灯では、例えば、上記支持柱の軸配設裏面は、支持リングの支持先端側から基端側に向かって支持リングの軸心寄りに傾斜していることができる。これにより、照射部が回転しても支持柱により接触しにくくなり、照射部の回転角度を、軸配設裏面が垂直面である場合より大きくでき、照射部の可動角度範囲をより広角にすることができる。
【００２１】
３．室内照明灯
更に他の実施形態３．に係る室内照明灯としては、例えば、上述の実施形態１．又は２．に係る室内照明灯において、上記照射部が、少なくとも１軸で連結構造体を介して上記ハウジングに支持されており、前記連結構造体は、互いに相対回転可能な第１連結部材及び第２連結部材と、これらの連結部材の間に介在されると共に相対回転時に摩擦により負荷を与えるシムと、を備える連結構造体であって、前記シムは、円板形状で外周面を摩擦面とする基盤部と、該基盤部より大径の円板形状であり、その外周面が摩擦面であり且つ該基盤部に連続して段状に設けられる大径部と、該大径部側から軸方向に突出した角柱形状の固定部と、を有し、前記第１連結部材は、前記基盤部が回転可能に嵌合する基盤部受け部と、前記大径部が回転可能に嵌合する大径部受け部と、を備えた段状のシム受け孔を有し、前記第２連結部材は、前記固定部に回転不能に嵌合する固定部受け部を有することを特徴とするものを挙げることができる。上記シムの材質としては、例えば、エラストマー、ゴム、樹脂等を挙げることができる。
これにより、上記シムが、その基盤部及び大径部の外周面を摩擦面として第１連結部材に回転可能に保持されるので、従来のように摩擦面を内周面とするものに比べて、摩擦面をより広く確保することができ、シムの小型化及び部品点数や工数を低減できる。また、摩擦面が段状に形成されているので、シムが脱落することを防止でき、またシムの誤組付けを防止できる。しかも、シムの基盤部及び大径部が円板形状なので、円柱面あるいは球面にシムを取り付ける場合に、従来のように四角形のものに比べて、取付けに必要な平面の面積を小さくすることができ、連結構造体の小型化を図ることができる。
【００２２】
上記実施形態３．の室内照明灯では、例えば、前記シムの前記固定部の根元周囲には角柱形状の凹部からなる固定凹部が更に設けられると共に、前記第２連結部材の固定部受け部の先端が前記固定凹部に回転不能に嵌合することができる。これにより、シムと第２連結部材とは、固定部の外周面と固定部受け部の内周面との嵌合に加え、固定凹部の内周面と固定部受け部の外周面との嵌合により固定されるので、これらシムと第２連結部材の固定力を高め、且つ破損しにくいものとすることができる。
【００２３】
上記実施形態３．の室内照明灯では、例えば、前記シム受け孔は、その深さが前記基盤部及び前記大径部の厚さの和である貫通孔であることができる。これにより、シム受け孔を容易に形成又は加工することができ、連結構造体を小型且つ簡易な構造にできる。
【００２４】
４．室内照明灯
更に他の実施形態４．に係る室内照明灯としては、例えば、上述の実施形態１．〜３．のいずれかに係る室内照明灯において、上記照射部を回転又は移動自在に支持し且つ上記スイッチの可動操作部材を支持する上記ハウジングと、上記スイッチの接点部と上記光源とを接続するワイヤハーネスと、を備え、上記照射部は、ワイヤハーネスの光源側の一部を固定する光源側固定手段を有する光源側固定部材（例えば、ＬＥＤホールドプレート等）を備え、上記ハウジングは、ワイヤハーネスのスイッチ側の一部を固定するスイッチ側固定手段を有するスイッチ側固定部材（例えば、アウタープレート等）を備え、上記照射部をハウジングに対して回転又は移動させる際に、上記ワイヤハーネスを、上記光源側固定手段と上記スイッチ側固定手段との間で変形させる一方、上記光源側固定手段と一方の端部との間及び上記スイッチ側固定手段と他方の端部の間では変形させないようにしたことを特徴とするものを挙げることができる。これにより、ワイヤハーネスの変形時でも端部のコネクタ部分に外力が作用せず、ワイヤハーネスの各コネクタへの取付部における断線を防止することができる。
【００２５】
上記実施形態４．の室内照明灯では、例えば、上記光源側及びスイッチ側固定手段は、いずれもクランプ構造からなることができる。これにより、簡易な構造で強い固定力を得ることができる。上記クランプ機構は、例えば、弾性変形可能に設けられた押さえ部と、この押さえ部の両端側に配設される各固定部と、を備え、非弾性変形状態の上記記押さえ部と各固定部との間隔（Ｓ１，Ｓ２）がワイヤハーネスの直径より小さな値に設定されていることができる。これにより、押さえ部と各固定部との間の２箇所でワイヤハーネスを噛み込ませることができるので、ワイヤハーネスの固定をより確実に行うことができる。
【００２６】
上記実施形態４．の室内照明灯では、例えば、上記スイッチ側固定部材は、上記ワイヤハーネスが移動可能に挿通された通過孔を有し、上記光源側固定手段が上記通過孔の近傍に配設されていることができる。これにより、照射部の回転時又は移動時に、各固定手段の間のワイヤハーネスは通過孔を移動するように変形して撓むため、他の部材に噛み込む可能性を抑制できる。
【実施例】
【００２７】
以下、図面を用いて実施例により本発明を具体的に説明する。なお、本実施例では、本発明に係る「室内照明灯」として、乗用車の天井の前部座席上方でありバックミラーの周辺部に配設される室内照明灯を例示する。
【００２８】
（１）室内照明灯の構成
本実施例に係る室内照明灯１は、図１〜図３に示すように、光源２を有する照射部４と、静電容量型センサである光源点灯用のタッチセンサ５０（図１３参照）と、樹脂製でリング状のスイッチノブ２６（本発明係る「可動操作部材」として例示する。）を有する光源消灯用のスイッチ５と、照射部４を支持する樹脂製の支持リング８と、支持リング８を支持するハウジング６と、光源２を点灯及び消灯制御する光源制御部５５（図１３参照）とを備えている。これらハウジング６、スイッチノブ２６及び照射部４は、同心円状に配設されている。
【００２９】
上記照射部４は、ＬＥＤである光源２を具備するＬＥＤユニット１１と、光源２からの光線の拡散を防止するＬＥＤホルダー１２及びレンズ３と、これらを一体化するＬＥＤホールドプレート１３とを備えている。このレンズ３は、中心孔が形成された樹脂製で椀状のレンズホルダ７の内側に固定されている。そして、照射部４の中心側は、上記スイッチノブ２６の中心孔から室内側に露出しており、その露出部分の形状が真円形となっている。
【００３０】
上記ハウジング６は、樹脂製のアウターベゼル９と、その裏側に蓋のように取り付けられる樹脂製のアウタープレート１０とを備えている。
【００３１】
上記レンズホルダ７の内側に配設される円環状の支持リング８には、図１及び図３に示すように、遠心側に突出した回転軸端１４と、回転軸端１４に対向するシム受け孔１５とが設けられている。また、この支持リング８には、図２及び図３に示すように、回転軸端１４から円周方向に９０度ずれて位置する軸受１６と、この軸受１６に対向するシム受け孔１７とが設けられている。これらシム受け孔１５，１７にはエラストマー製のシム１８，１９がそれぞれ回転可能に設けられている。
【００３２】
上記シム１８は、図８及び９に示すように、円板形状で外周面を摩擦面とする基盤部１８ａと、基盤部１８ａより大径の円板形状で外周面を摩擦面とすると共に基盤部１８ａに連続して中心軸が一致し且つ段状に設けられる大径部１８ｂと、大径部１８ｂ側から軸方向に突出した角柱形状の固定部１８ｃと、この固定部１８ｃの根元周囲に形成された角柱形状の凹部からなる固定凹部１８ｄと、を備えている。なお、シム１９も同様の構造であるため、同じ符号ａ〜ｄを付した１９ａ〜１９ｄとして説明を省略する。
【００３３】
上記支持リング８のシム受け孔１５には、シム１８の基盤部１８ａが摩擦を生じながら回転可能に嵌合する基盤部受け部１５ａと、大径部１８ｂが摩擦を生じながら回転可能に嵌合する大径部受け部１５ｂとが設けられており、内周面が段状になっている。このように内周面が段状になっているので、シム１８の脱落を防止することができる。なお、シム受け孔１７も同様の構造であるので、同じ符号ａ〜ｂを付した１７ａ〜１７ｂとして説明を省略する。
【００３４】
上記レンズホルダ７の内面側には、図１及び図３に示すように、支持リング８の回転軸端１４を軸支する軸受２０と、シム１８の固定部１８ｃ及び固定凹部１８ｄに回転不能に嵌合する固定部受け部２１とが設けられている。この固定部受け部２１は、その内周面が固定部１８ｃに嵌合すると共にその外周面が固定凹部１８ｄに嵌合して固定される（図８及び図９参照）。そして、この支持リング８とレンズホルダ７とは、第１回転軸Ｒ１回りに相対的に回転可能であり且つシム１８の作用で任意の角度で位置保持可能とされている。
ここで、第１連結部材としての上記支持リング８、第２連結部材としての上記レンズホルダ７及びシム１８によって、第１連結構造体が構成されている。
【００３５】
上記アウタープレート１０は、図２に示すように、中央孔が形成された円板状体である底部１０ａと、底部１０ａから互いに向かい合うように立設される一対の支持柱１０ｂ、１０ｃと、底部１０ａの外周部であり且つアウターベゼル９の端部と接続される外周部１０ｄとを備えている。これら一対の支持柱１０ｂ，１０ｃのうちの一方の支持柱１０ｂの先端側には、支持リング８の軸受１６に軸支される回転軸端２３が設けられている。また、他方の支持柱１０ｃの先端側には、シム１９の固定部１９ｃ及び固定凹部１９ｄに回転不能に嵌合する固定部受け部２４が設けられている。この固定部受け部２４は、その内周面が固定部１９ｃに嵌合すると共にその外周面が固定凹部１９ｄに嵌合して固定される（図８及び図９参照）。そして、この支持リング８は、支持柱１０ｂ，１０ｃ、即ちアウタープレート１０及びハウジング６に対して第２回転軸Ｒ２回りに回転可能であり且つシム１９の作用で任意の角度で位置保持可能とされている。上記第１回転軸Ｒ１と第２回転軸Ｒ２とのなす角度は９０度とされている（図４参照）。また、第１及び第２回転軸Ｒ１，Ｒ２での最大の回転角度範囲は５６度とされている（図５参照）。
ここで、第１連結部材としての上記支持リング８、第２連結部材としての上記ハウジング６及びシム１９によって、第２連結構造体が構成されている。
【００３６】
上記各支持柱１０ｂ，１０ｃは、図２に示すように、支持リング８を支持する軸配設面１０ｅと、軸配設面１０ｅの反対側面である軸配設裏面１０ｆとを有している。これら軸配設面１０ｅ及び軸配設裏面１０ｆは、支持リング８の支持先端側から基端側に向かって支持リング８の軸心寄りに傾斜している。また、上記各支持柱１０ｂ，１０ｃの軸配設裏面１０ｅには、図４に示すように、支持柱１０ｂ，１０ｃの立設方向に延びるリブ１０ｇが設けられている。
【００３７】
上記スイッチ５は、図１及び図３に示すように、上記スイッチノブ２６と、スイッチ５の接点となる金属製のスイッチプレート２７と、スイッチプレート２７に付勢するスイッチスプリング２８と、このスイッチプレート２７が接触する電子基板３３上の接点パターンと、スイッチ５の回転時に節度感を出すためのピン２９及びピンスプリング３０と、を備えている。このスイッチプレート２７及び電子基板３３上の接点パターンによって、スイッチノブ２６の回転位置の変化に応じて接続状態が切り替わる接点部５６（図１３参照）が構成されている。
【００３８】
上記スイッチノブ２６の周縁側には、円周方向に等ピッチ間隔で複数（図中２つ）のフランジ３１が設けられている。このフランジ３１が、アウターベゼル９とアウタープレート１０とにより形成される案内孔３２に入って所定の回転角度内で案内されることによって、スイッチノブ２６がハウジング６に対して回転自在に支持されることとなる。
【００３９】
上記ピンスプリング３０により付勢されたピン２９は、アウタープレート１０に形成された複数（例えば、２つ）の凹部３４のいずれかに入り込むようになっている。そして、スイッチノブ２６を回転させることにより、ピンスプリング３０の付勢力に抗してピン２９が一方の凹部３４から抜け出して他方の凹部３４に入り込むことでスイッチ５の操作状態が変化した感触を得ることができる。これと同時に、スイッチプレート２７が電子基板３３に対して移動して接点部５６の接続状態が切り替わり、この切り替わりを光源制御部５５がとらえるようになっている。
【００４０】
上記アウターベゼル９は、図１及び図６に示すように、室内側に露出する真円形のフランジ３９と、天井３５の裏側に引っ掛かる爪３６及び係合バネ３７とを備えている。この係合バネ３７は、爪３６と対向する位置に配置されており、室内照明灯１の天井３５への装着時に弾性変形を伴って天井３５の裏面に引っ掛かって脱落を防止する構造となっている。
【００４１】
上記アウタープレート１０の上面側には、図１及び図３に示すように、電子基板３３が取り付けられている。この電子基板３３とＬＥＤユニット１１とはワイヤハーネス３８を介して電気的に接続されている。また、上記ＬＥＤホールドプレート１３には、ワイヤハーネス３８のＬＥＤユニット１１側の一部を照射部４に固定する光源側固定手段４０と、光源側コネクタ４１の近傍においてワイヤハーネス３８の経路を規制するＵ字溝４２とが設けられている。さらに、アウタープレート１０には、ワイヤハーネス３８のスイッチ側の一部を固定するスイッチ側固定手段４３が設けられている。また、アウタープレート１０には、ワイヤハーネス３８が移動可能に貫通する通過孔４６が形成されている。そして、光源側固定手段４０は通過孔４６の近傍に配置さている。
【００４２】
上記スイッチ側固定手段４３は、図１０及び図１１に示すように、クランプ構造により構成されており、ワイヤハーネス３８を下方へ押さえる押さえ部４５と、この押さえ部４５の両端側に配設され且つ押さえ部４５との間でワイヤハーネス３８を挟持する２箇所の固定部４４とを備えている。この押さえ部４５は、アウタープレート１０に一体的に設けられており、弾性を有している。また、押さえ部４５の先端部は、ワイヤハーネス３８の側方へのずれを防止するように鉤状に下方向へ向かって突出している。また、各固定部４４は、アウタープレート１０の表面から突出するように一体的に設けられている。これら各固定部４４の突出高さは、ワイヤハーネス３８をスイッチ側コネクタ４７に無理なく接続できるような高さに設定されている。これにより、ワイヤハーネス３８の装着時においても、ワイヤハーネス３８自体の屈曲による負荷がワイヤハーネス３８のスイッチ側コネクタ４７への接続部分に掛かることが防止される。
【００４３】
上記固定部４４及び押さえ部４５の位置関係は、図１２に示すように、ワイヤハーネス３８の装着前、即ち外力が掛かっていない状態で、固定部４４及び押さえ部４５ａ、４５ｂの最も近い部分の間隔（押さえ部４５ａのように、ワイヤハーネス３８を押さえる面が各固定部４４の対向空間の外側に存在する場合は間隔Ｓ１、押さえ部４５ｂのように、ワイヤハーネス３８を押さえる面が各固定部４４の対向空間の内側に存在する場合は間隔Ｓ２）がワイヤハーネス３８の直径より小さな値に設定されている。この場合、押さえ部４５と各固定部４４との間にワイヤハーネス３８を挟むと、押さえ部４５がワイヤハーネス３８を各固定部４４の対向空間内に押し込んで固定するようになる。
【００４４】
なお、上記光源側固定手段４０は、上記スイッチ側固定手段４３と同様にして、クランプ構造により構成されており、２箇所の固定部と、各固定部の間にワイヤハーネス３８を押し込んで固定する弾性を有する押さえ部と、を備えている。そして、ワイヤハーネス３８の装着前の状態で、固定部及び押さえ部の最も近い部分の間隔がワイヤハーネス３８の直径より小さな値に設定されている（詳細は図示せず）。
【００４５】
上記タッチセンサ５０は、図１３に示すように、スイッチノブ２６の室内側への露出表面側及び非露出表面側の全領域に設けられるクロムメッキ層からなる電極部５１（本発明に係る「検知部」として例示する。）と、この電極部５１に電気的に接続される電子基板３３上の静電容量回路５３とを有している。この静電容量回路５３は、電極部５１と人体との間の静電容量の変化を検出し、その検出信号を光源制御部５５に出力するようになっている。また、この静電容量回路５３と電極部５１（クロムメッキ層）とは、電極部５１に圧接される接点５２ａを有する配線５２（図１参照）を介して電気的に接続されている。
【００４６】
上記光源制御部５５は、光源２、タッチセンサ５０を構成する静電容量回路５３、及びスイッチ５を構成する接点部５６に電気的に接続されている。この光源制御部５５は、図示しないＣＰＵ、ＲＯＭ及びＲＡＭを有しており、ＲＡＭがデータの一時保存等に使用され、ＲＯＭに記憶された制御プログラムに従ってＣＰＵが光源の点灯・消灯処理を実行する。即ち、この光源制御部は、図１４に示すように、先ず、タッチセンサ５０の静電容量回路５３から電極部５１と人体との間の静電容量の変化の検出信号が入力されたか否かを判定する（ステップＳ１）。その結果、検出信号が入力された場合（ステップＳ１でＹＥＳ判定の場合）には光源２を点灯させる（ステップＳ２）。次に、スイッチ５の接点部５６の接続状態が切り替えられたか否かを判定する（ステップＳ３）。その結果、接点部５６の接続状態が切り替えられた場合（ステップＳ３でＹＥＳ判定の場合）には光源２を消灯させる（ステップＳ４）。その後、ステップＳ１に戻り、上述の一連の光源の点灯・消灯処理が繰り返し実行される。なお、タッチセンサ５０から検出信号が入力されない場合（ステップＳ１でＮＯ判定の場合）、及びスイッチ５の接点部５６の接続状態が切り替えられない場合（ステップＳ３でＮＯ判定の場合）にもステップＳ１に戻り、上述の一連の光源の点灯・消灯処理が繰り返し実行される。
【００４７】
（２）室内照明灯の組立手順
次に、上記構成の室内照明灯１の組立手順について説明する。
先ず、図３に示すように、レンズ３にＬＥＤホルダー１２を装着し、そこにＬＥＤユニット１１を載せてＬＥＤホールドプレート１３で挟んで一体物を組み立てる。次に、ＬＥＤユニット１１にワイヤハーネス３８を接続する。次いで、その一体物をレンズホルダ７に装着して照射部４を組み立てる。そして、２つのシム１８，１９を取り付けた支持リング８をレンズホルダ７の内側に装着する。このとき、回転軸端１４を軸受２０に支持させると共に、シム１８をシム受け孔１５に支持させる。その後、支持リング８をアウタープレート１０に装着する。このとき、アウタープレート１０の回転軸端２３を軸受１６に支持させると共に、シム１９をシム受け２４に支持させる。
【００４８】
一方、アウターベゼル９の内側にスイッチノブ２６を装着する。このとき、スイッチノブ２６のフランジ３１をアウターベゼル９の案内孔３２に入れる。そして、スイッチプレート２７とスイッチスプリング２８を装着し、またピン２９とピンスプリング３０とを装着する。続いて、照射部４及び支持リング８を組み付けたアウタープレート１０をアウターベゼル９に取り付ける。更に、アウタープレート１０の外側に電子基板３３をネジ止めし、ワイヤハーネス３８を接続して、室内照明灯１が組み立てられる。
【００４９】
上述のように組み立てられた室内照明灯１を天井３５に取り付ける際には、図６に示すように、アウターベゼル９の爪３６を天井３５の装着穴の縁に斜めに引っ掛け、それから反対側を持ち上げて係合バネ３７を弾性変形させて天井３５の裏に押し込む。これにより、爪３６と係合バネ３７が天井３５の裏側に引っ掛かり室内照明灯１が天井３５に取り付けられる。
【００５０】
（３）室内照明灯の作用
次に、上記構成の室内照明灯１の作用について説明する。
先ず、室内照明灯１を点灯させたい場合には、使用者がスイッチノブ２６の近傍を手かざししたり、スイッチノブ２６の表面に直接触れたりする。すると、タッチセンサ５０が人体の接触及び／又は接近を検出し、その検出信号が入力された光源制御部５５により光源２が点灯される。
【００５１】
次に、照射部４の照射方向を変えたい場合には、使用者が照射部４を把持して照射方向を変えるように外力を加える。すると、図７（Ａ）〜（Ｃ）に示すように、照射部４がハウジング６に対して第１及び第２回転軸Ｒ１，Ｒ２を介して適宜回転する。これにより、可動範囲内で任意の位置を照射部４で照射できるようになる。ここで、第１及び第２回転軸Ｒ１，Ｒ２にはシム１８，１９を使用しているので、照射部４は任意の位置に位置決め保持される。
【００５２】
次いで、室内照明灯１を消灯させたい場合には、使用者がスイッチノブ２６を回転操作してその回転位置を変える。すると、スイッチ５の接点部５６の接続状態が切り替わり、この切り替わりをとらえた光源制御部５５により光源２が消灯される。
【００５３】
（４）実施例の効果
以上より、本実施例の室内照明灯１では、光源制御部５５によって、タッチセンサ５０の検出結果に基づいて光源２を消灯制御せず且つ点灯制御すると共に、スイッチ５のスイッチノブ２６の操作状態に基づいて光源２を点灯制御せず且つ消灯制御するように構成したので、夜間の暗がりや運転中等の場合でもタッチセンサ５０により光源２を容易且つ確実に点灯させることができ、光源点灯の際の操作性を高めることができる。また、光源点灯の際に機械式スイッチのように可動操作部材を押す等の操作が必要でないため、必要なときに直ぐに光源を点灯させることができ、光源点灯の際の応答性を高めることができる。さらに、タッチセンサ５０ではなく機械式スイッチ５の操作により光源２を消灯させるようにしたので、使用者が誤ってタッチスイッチ５０に接触及び／又は近接しても点灯状態の光源２が消灯されず、光源２の誤消灯を防止することができる。
【００５４】
また、本実施例では、タッチセンサ５０の電極部５１をスイッチノブ２６に設けたので、同じ部位である電極部５１及びスイッチノブ２６により光源２を点灯及び消灯できるため、使用者がそれらの位置を把握し易く、操作性をより高めることができる。また、タッチセンサ５０及びスイッチ５の構成部材を別々に設けるものに比べて、タッチセンサ５０及びスイッチ５のための設置場所を省スペース化でき、室内照明灯１の小型化を図ることができる。
【００５５】
また、本実施例では、タッチセンサ５０として静電容量型タッチセンサを採用したので、非接触センサを簡易且つ安価に構成することができる。また、タッチセンサ５０の電極部５１を、樹脂製のスイッチノブ２６の表面側に設けられるクロムメッキ層から構成したので、タッチセンサの電極部として機能する金属製のスイッチノブを採用するものに比べて、軽量化を図ることができる。さらに、樹脂製のレンズホルダ７及びハウジング６の表面色（各種の樹脂色）と質感が異なる金属色（青味を帯びた銀白色）であるクロムメッキ層によって、スイッチノブ２６の位置をより容易に把握でき、また美観を高め意匠性を向上させることができる。
【００５６】
また、本実施例では、スイッチノブ２６を、照射部４を囲うように設けられたリング形状とし、且つ、照射部４の外周に沿って回転自在となるようにハウジング６に支持したので、プッシュボタン、スライドレバー等を有する機械式スイッチに比べて、光源点灯の際に使用者が誤ってスイッチノブ２６を回転作動させてしまうことを抑制できる。また、手探りで照射部４を見つけた後に、その周囲に位置するスイッチノブ２６を容易に見つけて、そのまま回転操作することができるため、操作性を高めることができる。さらに、照射部４及びスイッチノブ２６の意匠を円形として、見る向きが変わっても美観が変化することがない形状にすることができ、デザインの自由度が高まって意匠性を高めることができる。
【００５７】
また、本実施例では、照射部４、スイッチノブ２６及びハウジング６の室内側への露出部分の形状を同じ円形としたので、従来一般の長方形状の室内照明灯と異なった意匠となり、意匠性を向上させることができる。さらに、照射部４、スイッチノブ２６及びハウジング６を同心円状に配設したので、各要素の統一感が得られ、従来一般の長方形状の室内照明灯と異なった意匠となり、意匠性をさらに向上させることができる。
【００５８】
さらに、本実施例では、照射部４をハウジング６に対して２つの回転軸Ｒ１，Ｒ２で支持するようにしたので、照射部４の照射方向を任意の方向に広角で変更することができる。この場合、点灯状態の照射部４の向きを変える際にタッチセンサ５０に人体を接触及び／又は近接させてしまうことがあるが、スイッチノブ２６を操作しない限り点灯状態が変化することがなく、誤消灯を防止することができる。さらに、照射部４が光源２を備えるため、照射部４の照射方向を変えても光軸等の光学系の変化が生じず、一様な照射能力を得ることができる。特に、ＬＥＤ等の指向性が高い光源２を用いても、問題がなく好ましい。
【００５９】
尚、本発明においては、上記実施例に限られず、目的、用途に応じて本発明の範囲内で種々変更した実施例とすることができる。即ち、上記実施例では、タッチセンサ５０として静電容量型タッチセンサを例示したが、これに限定されず、例えば、圧電素子型、光電型、超音波型センサ等としてもよい。
【００６０】
また、上記実施例では、タッチセンサ５０の検知部をスイッチノブ２６に設けるようにしたが、これに限定されず、例えば、タッチセンサ５０の検知部をスイッチノブ２６とは別部材であるレンズホルダ７やハウジング６等に設けるようにしてもよい。特に、静電容量型のタッチセンサを採用する場合には、タッチセンサ５０の電極部５１を、樹脂製のレンズホルダ７やハウジング６等の表面側に金属メッキ層を設けるようにしてもよい。
【００６１】
また、上記実施例では、タッチセンサ５０の電極部５１をスイッチノブ２６の表面側の全領域に設けるようにしたが、これに限定されず、例えば、タッチセンサ５０の電極部５１をスイッチノブ２６の表面側の一部領域のみに設けるようにしてもよい。
【００６２】
また、上記実施例において、使用者によりタッチセンサ５０が操作された際に、その操作状態を効果音で報知する効果音発生手段を更に備えるようにしてもよい。
【００６３】
また、上記実施例では、スイッチノブ２６を有する機械式スイッチ５を例示したが、これに限定されず、例えば、プッシュボタンやスライドレバーを有するスイッチとしてもよい。
【００６４】
また、上記実施例では、スイッチノブ２６を２つの回転位置の間で移動可能且つ位置決め可能に設けるようにしたが、これに限定されず、例えば、スイッチノブ２６を３つ以上の回転位置の間を移動可能且つ位置決め可能に設けるようにしてもよい。
【００６５】
また、上記実施例では、スイッチノブ２６を所定の回転角度範囲内で回転するようにしたが、これに限定されず、例えば、スイッチノブ２６の回転角度範囲に制限を設けないようにしてもよい。この場合、スイッチノブ２６の回転方向に制限を設けてもよいし、制限を設けなくてもよい。
【００６６】
また、上記実施例において、スイッチノブ２６を、バネ等の弾性体により２つの回転位置のうちの一方の回転位置に常時位置するように付勢しておき、使用者により回転操作されてスイッチノブ２６が他方の回転位置に位置したときに光源２を消灯させるようにしてもよい。
【００６７】
また、上記実施例において、スイッチノブ２６の回転位置としてドア連動用の回転位置を予め設定しておき、このドア連動用回転位置にスイッチノブ２６が位置された際には、自動車のドアの開閉に連動して光源を点灯及び消灯させるようにしてもよい。また、スイッチ５とは別にドア連動のための専用スイッチを設けるようにしてもよい。この専用スイッチの設置場所としては、例えば、スイッチノブ２６、レンズホルダ７、ハウジング６等を挙げることができる。
【００６８】
また、上記実施例では、その表面側に凹凸のないスイッチノブ２６を例示したが、これに限定されず、例えば、スイッチノブ２６の表面側に、ディンプル部５８（図１５参照）、リブ部、ダイヤカット部等の複数の凹部及び／又は凸部を設けるようにしてもよい。これにより、光源を消灯する際に使用者がスイッチノブ２６をより確実に掴んで回転させることができる。また、その表面形状の違いによりレンズホルダ７及びハウジング６とスイッチノブ２６とを容易に識別でき、スイッチノブ２６の位置をより容易に把握することができる。特に、手さぐりでもスイッチノブ２６を容易に探し当てることができる。
【００６９】
また、上記実施例では、スイッチノブ２６の表面色とレンズホルダ７及び／又はハウジングの表面色とを異ならせるようにしたが、これに限定されず、例えば、スイッチノブ２６の表面色とレンズホルダ７及び／又はハウジング６の表面色とを同じとしてもよい。例えば、スイッチノブ２６とレンズホルダ７及び／又はハウジング６とを同じ樹脂色としたり、スイッチノブ２６の表面側の金属メッキ層と同種の金属メッキ層をレンズホルダ７及び／又はハウジング６に設けたりしてもよい。
【００７０】
また、上記実施例では、照射部４をハウジング６に対して移動自在に支持するようにしたが、これに限定されず、例えば、照射部４、即ち光源２をハウジング６に対して固定支持するようにしてもよい。
【００７１】
さらに、上記実施例では、室内照明灯１を乗用車の天井３５の１箇所にのみ設置するようにしたが、これに限定されず、例えば、複数箇所に設けるようにしてもよい。
【産業上の利用可能性】
【００７２】
室内照明灯として広く利用される。特に、車両、船舶、飛行機等の乗り物の室内照明灯として好適に利用される。
【図面の簡単な説明】
【００７３】
【図１】実施例に係る室内照明灯の第１回転軸に沿う縦断面図である。
【図２】実施例に係る室内照明灯の第２回転軸に沿う縦断面図である。
【図３】室内照明灯の分解組立図である。
【図４】支持柱を説明するための斜視図である。
【図５】照射部を最大に回転させた状態を示す縦断面図である。
【図６】室内照明灯を天井に装着する作業途中の状態を示す縦断面図である。
【図７】照射部の回転のパターンを示す斜視図であり、（Ａ）は中立位置にある状態、（Ｂ）は第１回転軸を中心に回転させた状態、（Ｃ）は第２回転軸を中心に回転させた状態を示す。
【図８】実施例に係るシムを説明するための説明図であり、（Ａ）は正面図、（Ｂ）は側面図、（Ｃ）は背面図である。
【図９】シムと支持リングとを示す分解組立図である。
【図１０】スイッチ側及び光源側固定手段の位置関係を示す斜視図である。
【図１１】スイッチ側固定手段の斜視図である。
【図１２】スイッチ側固定手段の縦断面図である。
【図１３】光源制御部を説明するためのブロック図である。
【図１４】光源の点灯・消灯処理を説明するためのフローチャート図である。
【図１５】その他の形態のスイッチノブを説明するための縦断面図である。
【符号の説明】
【００７４】
１；室内照明灯、２；光源、４；照射部、５；スイッチ、２６；スイッチノブ、５０；タッチセンサ、５１；電極部、５３；静電容量回路、５５；光源制御部、５８；ディンプル部。
【図１】
0005082123.tif 000002
【図２】
0005082123.tif 000003
【図３】
0005082123.tif 000004
【図４】
0005082123.tif 000005
【図５】
0005082123.tif 000006
【図６】
0005082123.tif 000007
【図７】
0005082123.tif 000008
【図８】
0005082123.tif 000009
【図９】
0005082123.tif 000010
【図１０】
0005082123.tif 000011
【図１１】
0005082123.tif 000012
【図１２】
0005082123.tif 000013
【図１３】
0005082123.tif 000014
【図１４】
0005082123.tif 000015
【図１５】
0005082123.tif 000016